(57)【特許請求の範囲】
【請求項１】
壁下地面に固定される基板に形成された止着具用の貫通孔の前記止着具を挟んで対向する内面間隔がテーパ状の傾斜面とされ、該傾斜面の最小間隔部分が前記止着具の軸部の径より大、最大間隔部分が前記最小間隔部分より大きく前記止着具の頭部径より小とされさらに、前記最小間隔部分が前記基板の締まり勝手方向に向いてなり、前記止着具の頭部の裏面が止着具を打ち込み又は捻じ込むほど前記止着具用の貫通孔の内面輪郭と圧接して前記基板を締まり勝手方向へ移動させる形状をなす外壁材の留め金具。
【請求項２】
請求項１における止着具用の貫通孔の輪郭形状が卵形とされ、該卵形の小径部がビスの軸部の径より大、大径部が前記小径部の径より大きく前記止着具の頭部径より小とされさらに、前記小径部が前記基板の締まり勝手方向に向いて構成されている外壁材の留め金具。
【請求項３】
請求項１又は２の外壁材の留め金具において、基板に外壁材の端面と係合する爪片が折り起こされてなる外壁材の留め金具。
【発明の詳細な説明】
【０００１】
【発明の属する技術分野】
この発明は、外壁材の留め金具に関する。
【０００２】
【従来の技術】
従来、繊維補強セメント製外壁材などの窯業系外壁材１を留め付ける手段として、図６に示すような金具２を使用する場合がある。
この留め金具２は、基板２ａに接合すべき外壁材１端面に係合する係合片２ｂ、２ｂを折曲形成したものであり、壁下地材３に釘、ビスなどの止着具４などにより固定し、その後係合片２ｂ、２ｂに外壁材１の端面１ａを引っ掛けるようにして固定するものである。
【０００３】
ところで図６に示した金具２は、外壁材１を止着する場合に、係合片２ｂと外壁材端面１ａとが密着している事が望ましい。
そのため、金具２を止着する場合、先に固定されている外壁材１（図示例の場合左側の外壁材）方向へできるだけ寄せて固定することが行なわれるが、止着具４の締結時、特に最後の増し締め時の緊締力によって金具２がずれ移動してしまう場合があり、この結果外壁材の固定力が緩んでしまう場合がある問題があった。
【０００４】
【発明が解決しようとする課題】
この発明は、上記のように外壁材の留め金具が、釘、ビスなどの止着具の緊締時に確実に締め付け方向へ移動するようにし、もって外壁材が確実に固定できるようにすることを課題としてなされたものである。
【０００５】
【課題を解決するための手段】
上記課題を達成するため、請求項１の外壁材の留め金具は、壁下地面に固定される基板に形成された止着具用の貫通孔の前記止着具を挟んで対向する内面間隔がテーパ状の傾斜面とされ、該傾斜面の最小間隔部分が前記止着具の軸部の径より大、最大間隔部分が前記最小間隔部分より大きく前記止着具の頭部径より小とされさらに、前記最小間隔部分が前記基板の締まり勝手方向に向いてなり、前記止着具の頭部の裏面が止着具を打ち込み又は捻じ込むほど前記止着具用の貫通孔の内面輪郭と圧接して前記基板を締まり勝手方向へ移動させる形状をなすものである。
【０００６】
この外壁材の留め金具によれば、止着具用貫通孔に止着具を緊締していけば、テーパ状の内面輪郭と止着具との係合角度により、止着具が外壁材の係合方向へ移動するので、増し締め時に金具が緩んでしまうことがない。
請求項２の外壁材の留め金具は、上記の外壁材の留め金具における止着具用の貫通孔の輪郭形状が卵形とされ、該卵形の小径部がビスの軸部の径より大、大径部が前記小径部の径より大きく前記止着具の頭部径より小とされさらに、前記小径部が前記基板の締まり勝手方向に向いて構成されているものである。
【０００７】
この外壁材の留め金具によれば、卵形の止着具用貫通孔に止着具を緊締していけば、卵形輪郭と止着具との係合角度により、止着具が外壁材の係合方向へ移動するので、増し締め時に金具が緩んでしまうことがない。
請求項３の外壁材の留め金具は、上記外壁材の留め金具が、基板に外壁材の端面と係合する爪片が折り起こされてなるものである。
【０００８】
この外壁材の留め金具の場合、爪片が外壁材端面に確実に係合するので止着強度も確実となる。
【０００９】
【実施の形態】
次にこの発明の実施の形態を説明する。
図１はこの発明の実施の形態である外壁材の留め金具の斜視図、図２は同平面図、図３は他の構成例を示す平面図である。
図１において、外壁材の留め金具１０は、柱、桁、胴縁などの壁下地面３に固定される基板１１に形成される止着具４の貫通孔１２の内面輪郭形状が、図示のように止着具４を挟んで対向する内面間隔がテーパ状の傾斜面とされ、テーパ状の最小間隔部分１２ａが図４に示すように釘、ビスなどの止着具４の軸部４ａの径ｒより大、最大間隔部分１２ｂが前記小径部１２ａの径ｒより大きく止着具４の頭部４ｂの径Ｒより小とされ、さらにこの貫通孔１２の最小間隔部分１２ａが、基板１１の締まり勝手方向に向いて穿設されている。
【００１０】
ここに、締まり勝手方向とは、基板１１に立設された係合片１３が、外壁材１に対して圧接されていくような矢印Ａで示す方向をいい、金具として締結機能が発揮される移動方向を意味する。
図中１４はスペーサを示し、外壁材１と壁下地材３との間に通気空間を設ける場合などに基板１１に設けれられるもので、必要に応じて設けられる。
【００１１】
なお、上記止着具４の貫通孔１２の内面輪郭形状は、図３に示すように卵形としても良い。この場合、卵形の小径部１２ａを釘、ビスなどの止着具４の軸部４ａの径ｒより大、大径部１２ｂが前記小径部１２ａの径ｒより大きく止着具４の頭部４ｂの径Ｒより小とされ、さらにこの止着具用貫通孔１２の小径部１２ａを、基板１１の締まり勝手方向に向いて穿設した構成とされる。
【００１２】
なお、上記実施の形態における金具として、平板状基板１１に係合片１３を折曲成形したものの場合を示したが、図４に示すように端部止着金具１０ａの場合も同様に実施できる。図４において図１、図３と同じ符号で示す部材は同一又は相当する部材を示し、これら部材に関しては詳細な説明は省略する。
また、上記外壁材の留め金具１０の材質としては、主としてステンレス薄板、鋼板、防錆処理を行なった軟鉄板、アルミ軽合金製とされる。
【００１３】
次に上記実施の形態の外壁材の留め金具の使用状態を説明する。
図１、図３に示した外壁材の留め金具１０の基板１１を壁下地面３に当接し、外壁材１の端部に当てがって釘、ビスなどの止着具４を貫通孔１２に打ち込みあるいはねじ込んで止着する。
そして、最後に釘を打ち込みあるいはビスを増し締めをするが、このとき、止着具４を打ち込み又は捻じ込むほど止着具４の頭部４ｂ裏面と止着具用貫通孔１２の内面輪郭とが圧接し、その結果、図５に拡大して示すように基板１１に分力（矢印Ｗ）が作用し、基板１１は矢印Ａで示すように外壁材１方向へと移動する。
【００１４】
従って、止着具４を強く止着することによって外壁材の留め金具１０は外壁材１方向へと移動し、強固な止着状態となるのである。
【００１５】
【発明の効果】
以上説明したように、この発明の外壁材の留め金具によれば、外壁材の端部に当てがって壁下地材に止着具で固定する際、固定のための力で留め金具が外壁材方向へと移動していくため、外壁材の固定が確実となる。
【図面の簡単な説明】
【図１】この発明の実施の形態の外壁材の留め金具の斜視図である。
【図２】この発明の実施の形態の外壁材の留め金具の平面図である。
【図３】この発明の実施の形態の外壁材の留め金具の他の構成例の平面図である。
【図４】この発明の実施の形態の外壁材の留め金具のさらに他の構成例の斜視図である。
【図５】この発明の実施の形態の作用を説明する要部拡大断面図である。
【図６】従来例の斜視図である。
【符号の説明】
１    外壁材
３    壁下地面
１０    外壁材の留め金具
１１    基板
１２    卵形の止着具用貫通孔
１２ａ  小径部
１２ｂ  大径部
１３    係合片
【図１】
0003734377.tif 000002
【図２】
0003734377.tif 000003
【図３】
0003734377.tif 000004
【図４】
0003734377.tif 000005
【図５】
0003734377.tif 000006
【図６】
0003734377.tif 000007